(57)【要約】【課題】  本発明は、多缶設置ボイラ装置について、運転停止となったボイラを効率よく防食しうる方法と装置を提供することを目的とする。【解決手段】  本発明は、ボイラ給水を窒素ガスと接触させて該ボイラ給水中の溶存酸素を除去する窒素式脱酸素装置３を備えた多缶設置ボイラ装置であって、窒素式脱酸素装置３に窒素ガスを供給する窒素ガス用レシーバタンク２を備え、多缶設置されたボイラの中に運転停止ボイラがあると、該運転停止ボイラ缶内の圧力が所定値以下となったときに、窒素ガス用レシーバタンク２から該運転停止ボイラ缶内に窒素ガスの一部を封入する機能を備え、該運転停止ボイラ缶内を所定の圧力値以上の圧力に保つようにした多缶設置ボイラ装置を提供する。【選択図】  図１
2008232521.tif 000002
【特許請求の範囲】
【請求項１】
ボイラ給水を窒素ガスと接触させて該ボイラ給水中の溶存酸素を除去する窒素式脱酸素装置を備えた多缶設置ボイラ装置の防食方法において、多缶設置されたボイラの中に缶内の圧力が所定値以下の運転停止ボイラがあるときに、該窒素式脱酸素装置に窒素ガスを供給する窒素ガス用レシーバタンクから該運転停止ボイラ缶内に窒素ガスを封入し、該運転停止ボイラ缶内を所定の圧力値以上の圧力に保つことを特徴とする多缶設置ボイラ装置の防食方法。
【請求項２】
ボイラ給水を窒素ガスと接触させて該ボイラ給水中の溶存酸素を除去する窒素式脱酸素装置を備えた多缶設置ボイラ装置であって、該窒素式脱酸素装置に窒素ガスを供給する窒素ガス用レシーバタンクを備え、多缶設置されたボイラの中に缶内の圧力が所定値以下の運転停止ボイラがあるときに、該窒素ガス用レシーバタンクから該運転停止ボイラ缶内に窒素ガスの一部を封入する機能を備え、該運転停止ボイラ缶内を所定の圧力値以上の圧力に保つようにした多缶設置ボイラ装置。
【発明の詳細な説明】
【技術分野】
【０００１】
本発明は、多缶設置ボイラ装置の防食方法に関し、詳しくは多缶設置ボイラ装置について、運転停止となったボイラを効率よく防食しうる方法と装置に関するものである。
【背景技術】
【０００２】
多缶設置ボイラでは、設置している全てのボイラを運転させるのではなく、負荷の状況に応じて必要な台数のボイラを運転させ、残りのボイラは運転を停止させておくのが一般的である。
しかしながら、ボイラは運転を停止させるとボイラ缶体内に錆が発生し易くなる。
それ故、従来は、缶体内への錆の発生を防ぐ為、運転停止中のボイラに対しては、以下のような防食方法が採られてきた。
（１）高濃度の脱酸素剤（例えば、ヒドラジン）をボイラ水に投入する方法。
（２）ボイラ缶内を満水にする方法。
（３）ボイラ缶内を加圧保持する方法。例えば、ボイラ缶内の圧力が下がってくると、加圧の為だけに間欠的に燃焼して昇圧させたり、窒素ガス等の不活性ガスを封入する方法である。
【０００３】
しかしながら、上記した従来の方法にはそれぞれ以下のような問題点があった。
（１）脱酸素剤を投入する方法
この方法では、運転再開時に蒸気に脱酸素剤が混入して蒸気の質の低下を招く場合がある。これを防ぐ為には、ボイラ缶内の水を入れ替えて脱酸素剤の濃度を低下させる必要があった。
【０００４】
（２）ボイラ缶内を満水にする方法
この方法では、運転再開時毎にボイラ内の水を排出して水位の調節が必要となる。負荷は数日周期で変動する場合が多く、その度に満水と排出・水位調節といった作業工数がかかるとともに、直ぐにはボイラの運転を再開することができず効率的に不利である。
【０００５】
（３）ボイラ缶内を加圧保持する方法
ボイラ缶内の圧力が下がってきたときに、加圧の為だけに間欠的に燃焼して昇圧させる方法では、燃料費がかかるとともに運転の為の作業工数もかかり経済的ではない。
一方、ボイラ缶体内に不活性ガスを封入する方法は、ボイラ運転停止時の防食方法としては、比較的簡便でしかもその有効性が確認されており、従来から不活性ガスに窒素ガスを用いて利用されてきた（例えば、特許文献１参照）。
しかしながら、窒素ガスをボイラ缶体内に封入する為、市販の窒素ガスボンベを購入して実施しようとすると大きなコスト負担となる。
それ故、窒素ボンベに代わり、窒素式脱酸素装置からの排出された酸素をわずかに含んだ窒素ガスを利用する方法が採られる場合がある（例えば、特許文献２参照）。
しかしながら、この方法では、わずかといえ腐食を促進する酸素を含んでおり、腐食作用に不安を残す。
【０００６】
【特許文献１】特開平１０−９６５０２号公報
【特許文献２】特開２００６−１１２７３５号公報
【発明の開示】
【発明が解決しようとする課題】
【０００７】
本発明は、上記従来の問題点を解消し、多缶設置ボイラ装置について、運転停止となったボイラを効率よく防食しうる方法と装置とを提供することを目的とするものである。
【課題を解決するための手段】
【０００８】
本発明者らは、上記課題を解決するため鋭意研究を行った結果、脱酸素剤を投入する方法でなく、また、ボイラ缶内を満水にする方法でもなく、多缶設置ボイラ装置の防食方法として、有効性が確認されているボイラ缶体内に不活性ガスを封入する方法において、ボイラ給水中の溶存酸素を除去する窒素式脱酸素装置に窒素ガスを供給する窒素ガス用レシーバタンクから、余剰となった窒素ガス（ボイラ給水由来の酸素を含まない）を流用することにより、別途不活性ガスを準備するといった新たなコストをかけることなく、確実な防食効果を得ることが可能となることを見出し、この知見に基づいて本発明を完成するに到った。
【０００９】
即ち、請求項１に係る本発明は、ボイラ給水を窒素ガスと接触させて該ボイラ給水中の溶存酸素を除去する窒素式脱酸素装置を備えた多缶設置ボイラ装置の防食方法において、多缶設置されたボイラの中に缶内の圧力が所定値以下の運転停止ボイラがあるときに、該窒素式脱酸素装置に窒素ガスを供給する窒素ガス用レシーバタンクから該運転停止ボイラ缶内に窒素ガスを封入し、該運転停止ボイラ缶内を所定の圧力値以上の圧力に保つことを特徴とする多缶設置ボイラ装置の防食方法を提供するものである。
請求項２に係る本発明は、ボイラ給水を窒素ガスと接触させて該ボイラ給水中の溶存酸素を除去する窒素式脱酸素装置を備えた多缶設置ボイラ装置であって、該窒素式脱酸素装置に窒素ガスを供給する窒素ガス用レシーバタンクを備え、多缶設置されたボイラの中に缶内の圧力が所定値以下の運転停止ボイラがあるときに、該窒素ガス用レシーバタンクから該運転停止ボイラ缶内に窒素ガスの一部を封入する機能を備え、該運転停止ボイラ缶内を所定の圧力値以上の圧力に保つようにした多缶設置ボイラ装置を提供するものである。
【発明の効果】
【００１０】
本発明によれば、脱酸素剤を使用することがなく、不活性ガスである窒素ガスを運転停止ボイラ缶内に封入するため、蒸気の質の低下の心配がない。
次に、本発明によれば、ボイラ缶内を満水にするための作業や排出・水位調整といった作業が不要であり、効率的な対応が可能となる。
また、本発明によれば、不活性ガスとしての窒素ガスは、ボイラが運転を停止することにより余剰となった窒素ガスを流用するため、新規に窒素ガスボンベを購入するというような経済的な負担もない。
さらに、本発明では、窒素ガス用レシーバタンクから供給される窒素ガスの一部を流用するため、腐食を促進する酸素などを含まないものであり、防食効果が確実となる。
従って、本発明によれば、負荷の状況に応じて必要な台数のボイラを運転させる多缶設置ボイラ装置に対し、運転停止中のボイラ装置の防食を簡便に、かつ、新たなコストをかけることなく実施することが可能となる。
【発明を実施するための最良の形態】
【００１１】
以下、図面を参照して本発明の実施の形態について説明する。図１は、本発明の実施の形態に係る多缶設置ボイラ装置の概略図であり、設置ボイラの数量を３基としたものを示しているが、２基以上であれば３基に限定されるものではない。
本発明に係る多缶設置ボイラ装置は、主に、窒素供給装置１と、窒素ガス用レシーバタンク２と、窒素式脱酸素装置３と、給水ポンプ４と、ボイラ５ａ〜５ｃと、各種配管と、弁と、からなる。
ここで、配管としては、窒素ガス用配管６ａ〜６ｃと、給水用配管７ａ〜７ｃと、排気配管８と、弁としては、窒素ガス用制御弁９、給水用制御弁１０ａ〜１０ｃと、さらに、前記窒素ガス用配管６ａ〜６ｃから分岐した窒素ガス用配管６ｄと、窒素ガス制御弁１１ａ〜１１ｃと、を有している。
【００１２】
本発明における、窒素供給装置としては、例えば特開２００２−８６１３６号公報に記載されているような、圧力変動吸着分離法により、空気中の窒素ガス（Ｎ２）を分離供給する装置[窒素ＰＳＡ（Pressure Swing Adsorption）装置]を挙げることができる。
窒素供給装置１には窒素ガス用配管６ａが接続されており、窒素ガス用配管６ａを介して窒素ガス用レシーバタンク２と接続されている。
【００１３】
窒素供給装置１より供給された窒素ガスは、窒素ガス用配管６ａを通って窒素ガス用レシーバタンク２に貯蔵されるようになっている。
窒素ガス用レシーバタンク２は、窒素供給装置１より供給された窒素ガスを貯蔵しておく装置であり、これに接続されている窒素式脱酸素装置３に、０．４〜１．０ＭＰａの窒素ガスを供給する役割を果たしている。
このような窒素ガス用レシーバタンク２は、窒素ガス用配管６ｂと接続され、さらに窒素ガス用制御弁９、窒素ガス用配管６ｃを介して窒素式脱酸素装置３に接続されている。
本発明においては、この窒素ガス用配管６ｂを途中で分岐させ、窒素ガス用配管６ｄとすると共に、ボイラ５ａ〜５ｃの近辺でさらに３本の配管に分岐させて、３本の配管はそれぞれボイラ５ａ，５ｂ，５ｃに接続されている。３本の配管には、ボイラ５ａ，５ｂ，５ｃとの間に、独立して窒素ガスの供給が制御可能な、窒素ガス制御弁１１ａ，１１ｂ，１１ｃがそれぞれ設置されており、ボイラ５ａ，５ｂ，５ｃの中に缶内の圧力が所定値以下の運転停止ボイラがあるときに、窒素ガス用レシーバタンク２から該運転停止ボイラ缶内に窒素ガスの一部を封入する機能を備えたものとなっている。
【００１４】
窒素式脱酸素装置３は、給水に、窒素ガス用レシーバタンク２からの窒素ガスを効率よく接触させて、分圧差分を利用して水中の飽和酸素濃度を低下させ、溶存酸素を除去する装置である。
本発明における、窒素式脱酸素装置３としては、水中に窒素ガスをバブリングするもの（エアレータ方式の自吸式散気装置）や、塔上部から充填材に給水を噴霧落下させ、下部から窒素ガスを供給して接触させるもの（静止型リアクター方式の静止型気液接触装置）、又、両者を組み合わせたものなど、如何なるものを用いることができるが、両者を組み合わせた方式が高効率である。
給水から除去した酸素を含んだ窒素との混合気体は、排気配管８より排気される。なお、この排気気体には、酸素を含むため、不活性ガスとして用いるには不適である。
【００１５】
窒素式脱酸素装置３には、給水を供給するための給水用配管７ａと、窒素ガス用レシーバタンクからの窒素ガスを供給するための窒素ガス用配管６ｃが接続されている。
また、窒素式脱酸素装置３は、該窒素式脱酸素装置３内で溶存酸素が窒素置換された給水（脱酸素水）をボイラ５ａ，５ｂ，５ｃに供給する役割を果たしている。
そのため、窒素式脱酸素装置３には、給水用配管７ｂが接続されており、給水用配管７ｂは、給水ポンプ４と接続されている。
給水ポンプ４には、ボイラ５ａ，５ｂ，５ｃとの間に給水用配管７ｃが接続されており、窒素式脱酸素装置３で製造された溶存酸素が除去された給水（脱酸素水）を、ボイラ５ａ，５ｂ，５ｃに供給するための揚力を供給している。
給水用配管７ｃは、ボイラ５ａ，５ｂ，５ｃの手前でさらに３本の配管に分岐し、それぞれボイラ５ａ，５ｂ，５ｃに接続されている。３本の配管には、それぞれ独立して給水の供給が制御可能な、給水用制御弁１０ａ，１０ｂ，１０ｃが設置されている。
【００１６】
本発明において、多缶設置ボイラ装置を構成するボイラ缶の数としては、多缶ということから２基以上であれば特に限定されないが、本発明の実施形態の１つである多缶設置ボイラ装置を示した図１で示すように、３基のボイラ缶から構成される多缶設置ボイラ装置にすることが可能である。
【００１７】
図１における多缶設置ボイラ装置では、ボイラ５ａ，５ｂ，５ｃの３つのボイラ缶が設置されている。
前記したように、各ボイラ５ａ，５ｂ，５ｃには、窒素ガス用配管６ｄから分岐した３本の配管が接続されており、それぞれの配管は、窒素ガス制御弁１１ａ，１１ｂ，１１ｃが設置され、窒素ガスの供給の制御が可能となる。
また、各ボイラ５ａ，５ｂ，５ｃには、給水用配管７ｃから分岐した３本の配管が接続されており、それぞれの配管は、給水用制御弁１０ａ，１０ｂ，１０ｃが設置され、給水の制御が可能となる。
各ボイラ５ａ，５ｂ，５ｃには、それぞれに圧力計が設置されており、各ボイラ缶の中に缶内の圧力が所定値以下の運転停止ボイラがあるときに、そのボイラに対応する窒素ガス制御弁が自動的に開弁するようにされており、これにより窒素ガスの供給を制御することができる。
具体的には、運転停止時にボイラの缶内圧力が所定値である０．１ＭＰａ以下、好ましくは０．３ＭＰａ以下になると、そのボイラに接続する窒素ガス用配管に設置された窒素ガス制御弁が自動的に開弁し、該運転停止ボイラ内に、窒素ガス用レシーバタンク２から窒素ガスの一部が自動的に封入される。
窒素ガス封入後の運転停止ボイラの缶内圧力は、少なくとも０．１ＭＰａ以上、好ましくは０．３ＭＰａ以上に保持される。この結果、運転停止ボイラの防食を図ることができる。
なお、窒素ガス制御弁１１ａ，１１ｂ，１１ｃは逆止弁となっていることから、運転停止されたボイラが運転を開始して缶内圧力が上がったときに、ボイラから窒素ガス用レシーバタンク２の方向へ逆流することはない。
【００１８】
本発明において、多缶設置ボイラ装置を構成するボイラ缶としては、上記のように、所定の圧力値以下になったときに開弁する窒素ガス用制御弁を設置した窒素ガスの供給が可能な配管が接続されたものであれば、従来用いられている如何なるボイラ缶であっても用いることが可能である。
なお、図１の各ボイラ５ａ，５ｂ，５ｃは、従来用いられているボイラ缶と同様に、燃焼時に気液分離した蒸気を外部に供給する装置を備えたものである。
【００１９】
次に、このように構成された多缶設置ボイラ装置における運転動作について説明する。
まず、各ボイラ５ａ，５ｂ，５ｃの全てが運転している場合について説明する。
【００２０】
窒素供給装置１から供給され窒素ガス用レシーバタンク２に一旦蓄えられた窒素ガスは、開弁している窒素ガス用制御弁９を通り、窒素式脱酸素装置３に供給される。給水用配管７ａから、窒素式脱酸素装置３に給水された水は、この窒素ガスと接触することで、溶存酸素が窒素に置換されて、除去される。即ち、この窒素ガスは、脱酸素水の生成に使用される。
【００２１】
窒素式脱酸素装置３において溶存酸素が除去された給水（脱酸素水）は、給水ポンプ４で発生する揚力を用いることで、開弁している給水用制御弁１０ａ，１０ｂ，１０ｃを通り、各ボイラ５ａ，５ｂ，５ｃに送水される。
なお、運転中の加熱された各ボイラ５ａ，５ｂ，５ｃの内部は、窒素ガス制御弁１１ａ，１１ｂ，１１ｃが開弁する前記所定の圧力値よりも高圧になっているため、窒素ガス制御弁１１ａ，１１ｂ，１１ｃは閉弁したままになっている。従って、窒素ガスが各ボイラ５ａ，５ｂ，５ｃの内部に入ることはない。
【００２２】
次に、多缶設置ボイラ装置に要求される熱量負荷が減少し、ボイラ５ａのみを運転停止する場合について説明する。
上記のように各ボイラ５ａ，５ｂ，５ｃを運転している状態において、ボイラ５ａの運転を停止する場合、ボイラ５ａの燃焼を停止し、給水用制御弁１０ａを閉弁する。
するとボイラ５ａの缶内の温度及び圧力が低下し、ボイラ５ａの缶内圧力が前記所定の圧力値以下になると、ボイラ５ａに接続する窒素ガス用配管に設置された窒素ガス用制御弁１１ａが自動的に開弁し、該運転停止ボイラ５ａ内に、窒素ガス用レシーバタンク３に貯蔵されている窒素ガスの一部が、分岐している窒素ガス用配管６ｄを通って封入され、前記所定の圧力値以上の圧力で保持される。
【００２３】
上記動作により、運転が停止したボイラ５ａは、窒素ガスが封入され、前記所定の圧力値以上の圧力で保持されるために、防食効果を発揮する。
なお、ボイラ５ａの運転停止に伴い、窒素式脱酸素装置３からの脱酸素水の供給量は、供給すべきボイラの数が３基から２基に減少する。従って、窒素ガス用レシーバタンク２に貯蔵されている窒素ガスの一部が、分岐している窒素ガス用配管６ｄを通ってボイラ５ａに封入されたとしも、窒素式脱酸素装置３の運転に必要な窒素ガス供給に支障が発生することはない。
これらのことは、ボイラ５ａが当初から運転していない場合（間引き運転の場合）も同様であり、有効に防食効果が発揮される。
【産業上の利用可能性】
【００２４】
本発明によれば、負荷の状況に応じて必要な台数のボイラを運転させる多缶設置ボイラ装置に対し、運転停止中のボイラ装置の防食を簡便に、かつ、新たなコストをかけることなく実施することが可能となる。
【図面の簡単な説明】
【００２５】
【図１】本発明の実施の形態に係る多缶設置ボイラ装置の概略図である。
【符号の説明】
【００２６】
１  窒素供給装置
２  窒素ガス用レシーバタンク
３  窒素式脱酸素装置
４  給水ポンプ
５ａ，５ｂ，５ｃ  ボイラー
６ａ，６ｂ，６ｃ，６ｄ  窒素ガス用配管
７ａ，７ｂ，７ｃ  給水用配管
８  排気配管
９  窒素ガス用制御弁
１０ａ，１０ｂ，１０ｃ  給水用制御弁
１１ａ，１１ｂ，１１ｃ  窒素ガス制御弁
【図１】
2008232521.tif 000003